(57)【要約】【課題】  第１のネットワークに接続された第２の通信装置と第２のネットワークに接続された第１の通信装置とが所定範囲内に位置する場合のみ通信を許可する。【解決手段】  本発明の通信システムは、サブネットＡ４に接続された中継装置９と、サブネットＡ，Ｂ４，５間で情報を送受するルータ６とを備えている。中継装置９は、モバイルIPのホームエージェント機能とフィルタ機能を有する。通信先の通信装置が他のサブネットに接続されている場合には、その通信装置のケアオブアドレスを登録データテーブル２２で調べるとともに、そのケアオブアドレス宛のパケット送信が許可されているか否かをフィルタテーブルで調べ、パケット送信が許可されている場合のみパケット送信を行う。このため、コンテンツの著作権保護が図れないような宛先に対して不用意にコンテンツを伝送するおそれがなくなる。【選択図】  図３
2005175689.tif 000002
【特許請求の範囲】
【請求項１】
第１のネットワークに接続された状態の第１の通信装置のアドレス情報を登録する第１アドレス情報登録手段と、
前記第１の通信装置が前記第１のネットワークから外れて第２のネットワークに接続された場合に有効な前記第１の通信装置のアドレス情報を登録する第２アドレス情報登録手段と、
前記第２のネットワークに接続された状態の第１の通信装置の代わりに前記第１のネットワークに接続された第２の通信装置と通信し、前記第１および第２アドレス情報登録手段に登録されたアドレス情報に従って該第２の通信装置との通信を該第１の通信装置に中継する中継手段と、
前記第２のネットワークに接続された前記第１の通信装置と前記第１のネットワークに接続された第２の通信装置との通信を許可するか否かを判定するフィルタ手段と、を備えることを特徴とする通信装置。
【請求項２】
前記第１アドレス情報登録手段に登録される前記第１の通信装置のアドレス情報は、モバイルIPの規格で規定されるホームアドレスであり、
前記第２アドレス情報登録手段に登録される前記第１の通信装置のアドレス情報は、モバイルIPの規格で規定されるケアオブアドレス（COA：Care Of Address）であることを特徴とする請求項１に記載の通信装置。
【請求項３】
前記第１のネットワークに接続された前記第１および第２の通信装置の間で著作権保護のための認証・鍵交換を行った結果を登録する認証・鍵交換情報登録手段を備え、
前記フィルタ手段は、前記認証・鍵交換情報登録手段に登録された認証・鍵交換結果に基づいて通信許可の判定処理を行うか否かを決定することを特徴とする請求項１または２に記載の通信装置。
【請求項４】
前記第１アドレス情報登録手段に登録された前記第１の通信装置のアドレス情報と、前記第２アドレス情報登録手段に登録された該第１の通信装置のアドレス情報と、前記認証・鍵交換情報登録手段の登録内容とを対応づけて記憶するデータテーブルを備えたことを特徴とする請求項３に記載の通信装置。
【請求項５】
前記フィルタ手段は、著作権保護を図れる範囲内に位置する前記第２のネットワークに前記第１の通信装置が接続されている場合に、前記第１の通信装置との通信を許可することを特徴とする請求項１乃至３のいずれかに記載の通信装置。
【請求項６】
第１および第２のネットワークの間で情報の中継を行うルータ装置と、
前記第１のネットワークに接続された状態の第１の通信装置のアドレス情報を登録する第１アドレス情報登録手段と、
前記第１の通信装置が前記第１のネットワークから外れて前記第２のネットワークに接続された場合に有効な前記第１の通信装置のアドレス情報を登録する第２アドレス情報登録手段と、
前記第２のネットワークに接続された状態の第１の通信装置の代わりに前記第１のネットワークに接続された第２の通信装置と通信し、前記第１および第２アドレス情報登録手段に登録されたアドレス情報に従って該第２の通信装置との通信を該第１の通信装置に中継する中継手段を有する中継装置と、
前記第２のネットワークに接続された前記第１の通信装置と前記第１のネットワークに接続された第２の通信装置との通信を許可するか否かを判定するフィルタ装置と、を備えることを特徴とする通信システム。
【請求項７】
第１のネットワークに接続された状態の第１の通信装置のアドレス情報を登録する第１アドレス情報登録手段と、前記第１の通信装置が前記第１のネットワークから外れて第２のネットワークに接続された場合に有効な前記第１の通信装置のアドレス情報を登録する第２アドレス情報登録手段と、
前記第２のネットワークに接続された状態の第１の通信装置の代わりに前記第１のネットワークに接続された第２の通信装置と通信し、前記第１、第２アドレス情報登録手段に登録されたアドレス情報に従って該第２の通信装置との通信を該第１の通信装置に中継する中継手段を有する中継装置と、
前記第１および第２のネットワークの間で情報の中継を行うルータ手段と、前記第２のネットワークに接続された前記第１の通信装置と前記第１のネットワークに接続された第２の通信装置との通信を許可するか否かを判定するフィルタ手段とを有するルータ装置と、を備えることを特徴とする通信システム。
【請求項８】
前記第１の通信装置の識別情報に基づいて、前記第２のネットワークに接続された該第１の通信装置の現在アドレス情報を検出する現在アドレス検出手段を備え、
前記フィルタ手段は、前記現在アドレス検出手段で検出された現在アドレス情報に基づいて、該第１の通信装置と前記第２の通信装置との通信を許可するか否かを判定することを特徴とする請求項１乃至５のいずれかに記載の通信装置。
【請求項９】
第１のネットワークに接続された状態で第１の通信装置のアドレス情報を登録するステップと、
前記第１の通信装置が前記第１のネットワークから外れて第２のネットワークに接続された場合に有効な前記第１の通信装置のアドレス情報を登録するステップと、
前記第２のネットワークに接続された前記第１の通信装置と前記第１のネットワークに接続された第２の通信装置との通信を許可するか否かを判定するステップと、
許可すると判定した場合は、前記第２のネットワークに接続された状態の第１の通信装置の代わりに前記第１のネットワークに接続された第２の通信装置と通信し、登録されたアドレス情報に従って該第２の通信装置との通信を該第１の通信装置に中継するステップとを実行させるための通信制御プログラム。
【発明の詳細な説明】
【技術分野】
【０００１】
本発明は、異なるネットワーク間で通信を行う通信装置、通信システムおよび通信制御プログラムに関する。
【背景技術】
【０００２】
デジタル情報家電と呼ばれる商品が増えている。これらは、デジタル放送の開始などに伴い、普及が期待される商品群であり、デジタル放送対応テレビや、セットトップボックス、デジタルVTR、DVDプレーヤ、ハードディスクレコーダ等、デジタルデータやデジタルコンテンツを扱う商品が広く含まれる。 
この際、考慮すべきは、著作権などのコンテンツ保護である。デジタルデータは、コピー時の品質劣化が無いなどの利点が強調される反面、不正コピーが容易であるなどの欠点も持つ。
【０００３】
このため、デジタルAV機器同士をつなぐデジタルネットワークであるIEEE1394には、認証・鍵交換機構や、データの暗号化の機能が兼ね備えられている。 
ここで、ある送信装置から、著作権保護が必要なAVデータを、受信装置に転送する場合を考える。ここで注意すべきは、個人(あるいは、拡大解釈して家族)の楽しむ範囲内にて、AVデータのやり取りを行うのが著作権保護の前提であり、他人間でのAVデータのやりとりは(視聴料や著作権料等の支払いが伴わない限り)行われるべきでは無いという点である。
【０００４】
ネットワーク上で著作権保護を実現するためのメカニズムとしては、DTCPが知られている。DTCPとは、Digital Transmission Content Protectionの略で、IEEE1394やUSBなどでデファクトスタンダードとなっている著作権保護方式である。DTCPでは、著作権保護が必要なAVデータなどのコンテンツに対して送信機器と受信機器との間で認証・鍵交換を行い、AVデータを暗号化して転送する（非特許文献１参照）。DTCPを用いることにより、宅内のネットワーク（例えばIEEE1394ネットワーク）上において、著作権保護を保証した上でのAVデータの伝送が可能になる。 
AVデータの伝送を実現する家庭内ネットワークとして、イーサネット（登録商標）、８０２．１１無線LAN等の種々のネットワーク媒体を仮定できる。AVデータの転送をIP（インターネットプロトコル）上で行うようにすれば、Web等の様々なアプリケーションとの連携、Webブラウザ等の資産の活用、種々のネットワーク媒体への対応等を実現することができるため、本実施形態ではAVデータ（MPEG等のAVコンテンツデータ）はIP(IPv4、またはIPv6)上を転送されるものとする。プロトコルとしては、例えばRTP(Real Time Transport Protocol)やHTTP(Hyper Text Transport Protocol)が用いられる。
【非特許文献１】http://www.dtcp.comにて取得可能に開示されている文書
【発明の開示】
【発明が解決しようとする課題】
【０００５】
この場合、問題となるのは、IPプロトコルを使用すると、下のネットワーク媒体に関わらず、IPパケットの転送が可能という点である。即ちIPでは、VPN(仮想プライベートネットワーク)といった、遠隔のIPネットワーク同士を論理的に接続する技術がある。この技術を用いると、例えばA地区のXさん宅のホームネットワークと、（A地区とは物理的に離れた）B地区のYさん宅のホームネットワークを論理的に接続し、この上でIPパケットの転送を行うことができる。
【０００６】
つまり、Xさん宅のホームネットワークとYさん宅のホームネットワークとが、あたかも１つのホームネットワークであるかのような形態でのネットワークの運用が可能である。  
著作権法等では、「個人の楽しむ範囲内」でのAVデータのコピー等は許容されているが、「他人同士」のコピー等は許容していない。しかし、上記のような技術（例えばVPN技術）を用いることにより、「他人同士のネットワークでも、論理的に1つのネットワークであると見せかけること（構成すること）」が可能であるため、上記法律に違反する機器を提供してしまう懸念がある。
【０００７】
本発明は、第１のネットワークに接続された第２の通信装置と第２のネットワークに接続された第１の通信装置とが所定範囲内に位置する場合のみ通信を許可するようにした通信装置、通信システムおよび通信制御プログラムを提供することにある。
【課題を解決するための手段】
【０００８】
上記の目的を達成するため、本発明は、第１のネットワークに接続された状態の第１の通信装置のアドレス情報を登録する第１アドレス情報登録手段と、前記第１の通信装置が前記第１のネットワークから外れて第２のネットワークに接続された場合に有効な前記第１の通信装置のアドレス情報を登録する第２アドレス情報登録手段と、前記第２のネットワークに接続された状態の第１の通信装置の代わりに前記第１のネットワークに接続された第２の通信機器と通信し、前記第１、第２アドレス情報登録手段に登録されたアドレス情報に従って該第２の通信機器との通信を該第１の通信機器に中継する中継手段と、前記第２のネットワークに接続された前記第１の通信装置と前記第１のネットワークに接続された第２の通信装置との通信を許可するか否かを判定するフィルタ手段と、を備える。
【０００９】
また、本発明は、第１および第２のネットワークの間で情報の中継を行うルータ装置と、前記第１のネットワークに接続された状態の第１の通信装置のアドレス情報を登録する第１アドレス情報登録手段と、前記第１の通信装置が前記第１のネットワークから外れて前記第２のネットワークに接続された場合に有効な前記第１の通信装置のアドレス情報を登録する第２アドレス情報登録手段と、前記第２のネットワークに接続された状態の第１の通信装置の代わりに前記第１のネットワークに接続された第２の通信機器と通信し、前記第１、第２アドレス情報登録手段に登録されたアドレス情報に従って該第２の通信機器との通信を該第１の通信機器に中継する中継手段を有する中継装置と、前記第２のネットワークに接続された前記第１の通信装置と前記第１のネットワークに接続された第２の通信装置との通信を許可するか否かを判定するフィルタ装置と、を備える。
【００１０】
また、本発明は、第１のネットワークに接続された状態の第１の通信装置のアドレス情報を登録する第１アドレス情報登録手段と、前記第１の通信装置が前記第１のネットワークから外れて第２のネットワークに接続された場合に有効な前記第１の通信装置のアドレス情報を登録する第２アドレス情報登録手段と、前記第２のネットワークに接続された状態の第１の通信装置の代わりに前記第１のネットワークに接続された第２の通信機器と通信し、前記第１、第２アドレス情報登録手段に登録されたアドレス情報に従って該第２の通信機器との通信を該第１の通信機器に中継する中継手段を有する中継装置と、前記第１および第２のネットワークの間で情報の中継を行うルータ手段と、前記第２のネットワークに接続された前記第１の通信装置と前記第１のネットワークに接続された第２の通信装置との通信を許可するか否かを判定するフィルタ手段とを有するルータ装置と、を備える。
【発明の効果】
【００１１】
本発明によれば、第１のネットワークに接続された第２の通信装置と第２のネットワークに接続された第１の通信装置との間での通信を許可するか否かをフィルタ手段で判定するようにしたため、著作権保護を図れる範囲内であれば、異なるネットワーク間でも通信を許可でき、コンテンツの著作権保護を図りつつ、コンテンツの有効利用を図れる。
【発明を実施するための最良の形態】
【００１２】
以下、図面を参照しながら、本発明の一実施形態を説明する。
【００１３】
（第１の実施形態）
図１は本発明に係る通信システムの全体構成の一例を示すブロック図である。図１の通信システムは、ユーザ宅内のホームネットワーク１に接続された送信装置２と受信装置３とを備えている。ホームネットワーク１は、例えば、IEEE802.11無線LAN、イーサネットおよびIEEE1394などであるが、ネットワークの形態は特に問わない。ホームネットワーク１には、図１の送信装置２と受信装置３以外の装置が接続されていてもよいが、図１では省略している。また、送信装置２が受信機能を備えていてもよいし、受信装置３が送信機能を備えていてもよい。ホームネットワーク１上でインターネットプロトコルを使用する場合、IPv4とIPv6のいずれを用いてもよい。
【００１４】
送信装置２と受信装置３との間では、例えばAVデータが転送される。転送されるAVデータは、例えば著作権保護が必要なAVデータであり、適切な著作権保護が施された上で転送される。
【００１５】
本実施形態では、ネットワーク上の著作権保護を実現する方式としてDTCPを仮定する。ただし、本発明は、DTCP以外の著作権保護方式にも適用可能である。なお、DTCPについては、http://www.dtcp.comを参照されたい。
【００１６】
一般に、伝送系における著作権保護では、以下の（１）〜（４）の手順が行われる。（１）送信装置２と受信装置３間において、AVデータのやり取りを行うことを決める（例えば、AV制御コマンドで「再生（プレイ）」コマンドを送信装置２に対して発行する）。（２）送信装置２から受信装置３に対してAVデータの転送が始まる。この場合、転送されるAVデータには著作権保護のための暗号化が施されている。（３）これと前後して、送信装置２と受信装置３の間で、著作権保護のための認証・鍵交換が行われる。（４）認証・鍵交換が成功したならば、送信装置２と受信装置３間でAVデータの暗号鍵を共有（あるいは計算）でき、受信装置３は受信した暗号化AVデータの復号と再生を行うことができる。
【００１７】
本実施形態では、送信装置２と受信装置３間で、あらかじめ「登録」の手順を設け、お互いの装置、あるいは、片方の装置がもう片方の装置を「登録」する。そして、この「登録」が終了していない装置間では、AVデータの転送（あるいは、暗号の復号化や認証・鍵交換の完了）を許可しない、という仕組みを導入する。
【００１８】
具体的には、この「登録」は、「同一のIPサブネット上」でなければ成功しない」仕組みを導入することにより、前述のような複数のネットワークをまたがった運用を未然に防止する。
【００１９】
この登録のパケットのソースアドレスをチェックして、自分と同一のサブネット群に属していなければ、受け取り／処理を拒絶すればよい。そして、この登録が完了した場合、それ以降、登録に使用したソースアドレスと同じアドレスから転送される制御データ、鍵交換データを受信するように制御する。
【００２０】
図２は、ユーザ宅内の１階にサブネットＡ４が、２階にサブネットＢ５が存在するホームネットワークシステムの概略図である。サブネットＡ，Ｂ４，５に接続されるルータ６は、サブネットＡ，Ｂ４，５上の情報を中継する。
【００２１】
図２のサブネットＡ４に接続された２つの通信装置７，８同士が互いに初期登録を行い、その後、通信装置７が２階に移動して、サブネットＢ５に接続された場合を考える。この場合、通信装置８はサブネットＡ４に接続され、通信装置７はサブネットＢ５に接続されるため、互いに通信を行えなくなり、非常に不便である。
【００２２】
本実施形態は、ユーザ宅内であって、複数の通信装置が互いに異なるサブネットに接続されている場合には、互いに通信を行えるようにする。図３は本発明の第１の実施形態に係る通信システムの概略構成を示すブロック図である。図３の通信システムは、サブネットＡ４に接続された中継装置９と、サブネットＡ，Ｂ４，５間で情報を送受するルータ６とを備えている。
【００２３】
中継装置９は、モバイルIPのホームエージェント機能とフィルタ機能を有する。モバイルIPは、IPネットワーク上でノードが移動しても、元の場所のアドレスを使い続けることが可能なRFC3344（IPv4）およびdraft-ietf-mobileip-ipv6-23.txt（IPv6）で定められているプロトコルである。このプロトコルでは、移動するノードは、予め与えられるアドレス（ホームアドレス）を移動先でも使い続け、移動先へのパケット転送のために、現在位置を示すケアオブアドレス（Care Of Address）宛のトンネリングを使用する。
【００２４】
図４はモバイルIPの基本概念を説明する図である。モバイルノード１１は、ホームネットワーク１に接続された状態（図４の点線ａ）でホームエージェント１２に自己の登録処理を行う。その後、モバイルノード１１が他のネットワーク（Visited Network）に接続されたときに、通信相手（ＣＮ）１３がモバイルノード１１のホームアドレスを指定してパケットを転送するものとする。この場合、通信相手（ＣＮ）１３からのデータは、ホームネットワーク１を介してホームエージェント１２に入力される。ホームエージェント１２は、パケットをカプセル化したトンネルを、モバイルノード１１が現在接続されているネットワーク上のフォーリンエージェント（Foreign Agent）１４に送信する。このトンネルは、図４に示すように、通信相手（ＣＮ）１３からのパケットに、モバイルノード１１のケアオブアドレスを付加したものである。フォーリンエージェント１４は、受信したトンネルを解析して、モバイルノード１１の現在アドレスにパケットを送信する。モバイルノード１１が通信相手（ＣＮ）１３にパケットを送信する場合も、モバイルノード１１は通信相手（ＣＮ）１３のホームアドレスを指定してパケットを送信する。
【００２５】
図３において、サブネットＡ４を介してホームアドレスHaddrで登録処理を終えた通信装置６は、サブネットＢ５に移動しても、通信相手（ＣＮ）８のホームアドレスを指定して、通信相手（ＣＮ）８と通信を行う。
【００２６】
通信相手（ＣＮ）８も、通信装置７のホームアドレスを指定してパケットを送信する。中継装置９は、このパケットをProxy ARPなどの手法で受信してカプセル化する。カプセルの宛先は、通信装置のケアオブアドレスである。中継装置９は、通信装置のケアオブアドレスに基づいて、通信相手（ＣＮ）８からのパケット送信を許可するか否かを判定する。例えば、図３の例では、通信装置７がサブネットＡ４と同じ宅内のサブネットＢ５に接続されているため、パケット送信が許可される。もし、許可範囲外宛のパケットであれば、パケットを破棄することで通信を不許可にする。
【００２７】
図５は中継装置９の内部構成の一例を示すブロック図である。図５の中継装置９は、パケット処理部２１と、登録データテーブル２２と、パケット検査部２３と、フィルタテーブル２４と、ネットワークインタフェース部２５とを有する。
【００２８】
登録データテーブル２２には、各通信装置のホームアドレスと、各通信装置が現在接続されているサブネット上のケアオブアドレスと、フィルタON/OFFフィールドとが対応づけて登録されている。フィルタON/OFFフィールドは、異なる通信装置間でDTCP認証・鍵交換処理を行って、各通信装置のホームアドレスを登録データテーブル２２に登録したときに、オンにセットされる。すなわち、フィルタON/OFFフィールドは、AVデータの伝送対象機器であることを示すフラグである。
【００２９】
フィルタテーブル２４には、各通信装置のケアオブアドレスごとに、パケットの送信を許可するか否かを示す情報が登録されている。例えば、著作権保護を図る必要のあるコンテンツの場合、同一宅内であれば、仮にサブネットが異なっても、コンテンツの伝送を認めても支障がないことから、このような場合のケアオブアドレスに対しては、パケット送信を許可する旨の情報をフィルタテーブル２４に予め登録しておく。逆に、宅外や第三者がアクセス可能なサブネット上のケアオブアドレスに対しては、パケット送信を許可しない旨の情報をフィルタテーブル２４に予め登録しておく。
【００３０】
ホームアドレスHaddrに対応するケアオブアドレス宛にパケットをトンネリングする場合、対応するケアオブアドレスのパケット送信許可情報をフィルタテーブル２４から検索し、パケット送信が許可されていれば、このケアオブアドレスに対してパケットを送信する。
【００３１】
このように、第１の実施形態では、通信先の通信装置が他のサブネットに接続されている場合には、その通信装置のケアオブアドレスを登録データテーブル２２で調べるとともに、そのケアオブアドレス宛のパケット送信が許可されているか否かをフィルタテーブル２４で調べ、パケット送信が許可されている場合のみパケット送信を行う。このため、コンテンツの著作権保護が図れないような宛先に対して不用意にコンテンツを伝送するおそれがなくなる。また、同一の宅内などのコンテンツの著作権保護が図れる範囲内であれば、サブネットが異なる場合でも、コンテンツの伝送を認めることができるため、ユーザの利便性が向上する。
【００３２】
（第２の実施形態）
第２の実施形態は、中継装置９とは別個に、フィルタ装置を設けるものである。
【００３３】
図６は本発明の第２の実施形態に係る通信システムの概略構成を示すブロック図である。図６の通信システムは、中継装置９ａの他にフィルタ装置３１を備えている。フィルタ装置３１は、ケアオブアドレス宛のパケット送信を許可するか否かを判断するものであり、図５のフィルタテーブル２４と同様のテーブルとパケット検査部２３を内蔵している。
【００３４】
図６の中継装置９ａは、フィルタ機能は持っておらず、モバイルIPのホームエージェント機能を有する。図７は中継装置９ａの内部構成の一例を示すブロック図である。図７の中継装置９ａは、図５の中継装置９ａからフィルタテーブル２４とパケット検査部２３を省略した構成になっている。
【００３５】
例えば、通信装置７と通信相手（ＣＮ）８がサブネットＡ４上でDTCP認証・鍵交換を行って、互いのホームアドレスを中継装置９ａに登録した後、通信装置７がサブネットＢ５に移動したと仮定する。この状態で、通信相手（ＣＮ）８が通信装置７のホームアドレスを指定してパケットを送信すると、中継装置９ａは、登録データテーブル２２を調べて通信装置７のケアオブアドレスを取得し、カプセル化したパケットをフィルタ装置３１に送る。フィルタ装置３１は、通信装置７のケアオブアドレスに対するパケット送信を許可するか否かをフィルタテーブル２４で調べ、許可する場合のみ、パケットをルータ６を介してサブネットＢ５の通信装置７に送信する。
【００３６】
このように、第２の実施形態では、中継装置９ａとは別個にフィルタ装置３１を設けるため、中継装置９ａの内部構成を簡略化できるとともに、フィルタ装置３１を設置する場所の制限が緩和される。
【００３７】
（第３の実施形態）
第３の実施形態は、ルータ６との内部にフィルタ機能を設けたものである。
【００３８】
図８は本発明の第３の実施形態に係る通信システムの概略構成を示すブロック図である。図８の通信システムは、フィルタ機能を有するルータ６ａと、中継装置９とを備えている。中継装置９は図７と同様の内部構成を有する。ルータ６ａは、図５のフィルタテーブル２４とパケット検査部２３を有する。
【００３９】
例えば、通信装置７と通信相手（ＣＮ）８がサブネットＡ４上でDTCP認証・鍵交換を行って、互いのホームアドレスを中継装置９に登録した後、通信装置７がサブネットＢ５に移動したと仮定する。この状態で、通信相手（ＣＮ）８が通信装置７のホームアドレスを指定してパケットを送信すると、中継装置９は、登録データテーブル２２を調べて通信装置７のケアオブアドレスを取得し、カプセル化したパケットをルータ６ａに送る。ルータ６ａは、通信装置７のケアオブアドレスに対するパケット送信を許可するか否かをフィルタテーブル２４で調べ、許可する場合のみパケットをサブネットＢ５の通信装置７に送信する。
【００４０】
このように、第３の実施形態では、ルータ６ａがフィルタ機能を有するため、別個にフィルタ装置３１を設ける必要がなくなる。
【００４１】
（第４の実施形態）
上述した第１〜第３の実施形態では、宅内のサブネット間でのパケット伝送について説明したが、本発明は、携帯電話網を経由してパケット伝送を行う場合にも適用可能である。
【００４２】
図９は本発明の第４の実施形態に係る通信システムの概略構成を示すブロック図である。図９の通信システムは、携帯電話網３２とサブネットＡ４との間で情報を送受するルータ６と、サブネットＡ４に接続された中継装置９とを備えている。
【００４３】
図９の中継装置９は図５と同様の構成を持つ。通信装置７と通信相手（ＣＮ）８がサブネットＡ４上でDTCP認証・鍵交換を行って、互いのホームアドレスを中継装置９に登録した後、通信装置７がサブネットＡ４を外れて携帯電話網３２に接続したと仮定する。
【００４４】
携帯電話網３２に接続された通信装置７は、現在接続している携帯電話網３２のドメイン名をルータ６を介して中継装置９に登録する。中継装置９は、携帯電話網３２のドメイン名に基づいて、IPアドレスを逆引きし、該当するプレフィックスに属するケアオブアドレス宛のパケット送信を許可するか否かを判定する。
【００４５】
中継装置９のフィルタテーブル２４には、携帯電話会社から発行されているケアオブアドレスリストを予め登録しておく。
【００４６】
このように、第４の実施形態では、宅外の携帯電話網３２などの他の管理ドメインに属するネットワーク経由で通信を行う場合でも、著作権保護が図れる範囲のみ、パケット送信を許可しておけば、適切にパケットを中継および転送することができる。
【００４７】
上述した実施形態で説明した通信装置および通信システムは、ハードウェアで構成してもよいし、ソフトウェアで構成してもよい。ソフトウェアで構成する場合には、通信装置および通信システムの機能を実現するプログラムをフロッピーディスクやＣＤ−ＲＯＭ等の記録媒体に収納し、コンピュータに読み込ませて実行させてもよい。記録媒体は、磁気ディスクや光ディスク等の携帯可能なものに限定されず、ハードディスク装置やメモリなどの固定型の記録媒体でもよい。
【００４８】
また、通信装置および通信システムの機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【図面の簡単な説明】
【００４９】
【図１】本発明に係る通信システムの全体構成の一例を示すブロック図。
【図２】ユーザ宅内の１階にサブネットＡ４が、２階にサブネットＢ５が存在するホームネットワークシステムの概略図。
【図３】本発明の第１の実施形態に係る通信システムの概略構成を示すブロック図。
【図４】モバイルIPの基本概念を説明する図。
【図５】中継装置９の内部構成の一例を示すブロック図。
【図６】本発明の第２の実施形態に係る通信システムの概略構成を示すブロック図。
【図７】中継装置９ａの内部構成の一例を示すブロック図。
【図８】本発明の第３の実施形態に係る通信システムの概略構成を示すブロック図。
【図９】本発明の第４の実施形態に係る通信システムの概略構成を示すブロック図。
【符号の説明】
【００５０】
１  ホームネットワーク
２  送信装置
３  受信装置
４  サブネットワークＡ
５  サブネットワークＢ
６  ルータ
７，８  通信装置
９  中継装置
２１  パケット処理部
２２  登録データテーブル
２３  パケット検査部
２４  フィルタテーブル
２５  ネットワークインタフェース部
３１  フィルタ装置
３２  携帯電話網
【図１】
2005175689.tif 000003
【図２】
2005175689.tif 000004
【図３】
2005175689.tif 000005
【図４】
2005175689.tif 000006
【図５】
2005175689.tif 000007
【図６】
2005175689.tif 000008
【図７】
2005175689.tif 000009
【図８】
2005175689.tif 000010
【図９】
2005175689.tif 000011